(57)【要約】    【課題】      携帯電話などの移動体通信網での放送型通信において、ユーザ主導でなくとも放送データを受信できるようにしつつ、無駄な電力消費を低減すること。    【解決手段】  送受信部１０１が任意のタイミングで放送通知情報を送信サーバから受信し、放送情報処理部１０２がユーザへ表示すべきであると判断した場合、入出力処理部１０４は、出力部１０５にて放送データを受信可能である旨を表示する。放送情報処理部１０２は、入力部１０６からユーザ操作による放送データの受信指示があった場合、放送番組情報識別子で特定される放送番組情報が放送情報記憶部１０３に記憶されているか否かを判定する。放送番組情報を記憶していない場合、受信端末１００は、送信サーバに対して放送番組情報を要求する。送信サーバは、放送番組情報要求を受信すると、受信端末１００に対して放送番組情報を通知し、放送データを送信する。  【選択図】      図１
2006094324.tif 000002
【特許請求の範囲】
【請求項１】
送信サーバ及び複数の受信端末で構成される放送通信システムに使用される受信端末であって、
放送データが送信されることを示す放送通知情報を前記送信サーバから受信する送受信手段と、
前記放送通知情報を受信して、前記放送データを受信するか否かをユーザに確認する為の表示を行う出力手段と、
前記ユーザからの前記放送データの受信指示を受付ける入力手段と、
予め放送番組情報を記憶する放送情報記憶手段と、
前記放送通知情報に含まれる放送番組識別子で前記放送情報記憶手段を検索して前記放送番組情報が記憶されているか否かを判定する放送情報処理手段と、を備えることを特徴とする受信端末。
【請求項２】
前記放送情報処理手段での判定の結果、前記放送情報記憶手段に前記放送番組情報が記憶されている場合、前記受信端末は前記放送通知を受信後、直ちに放送データを受信することを特徴とする請求項１に記載の受信端末。
【請求項３】
前記放送情報処理手段での判定の結果、前記放送情報記憶手段に前記放送番組情報が記憶されていない場合、前記受信端末は前記送信サーバに前記放送番組識別子及び／またはユーザ情報識別子を含む放送番組情報要求を送信し、前記受信端末は前記放送番組情報要求に対する応答を前記送信サーバから受信して前記放送情報記憶手段に格納することを特徴とする請求項１に記載の受信端末。
【請求項４】
前記放送通知を受信後に前記出力手段において前記放送データを受信可能であることを表示している所定の時間内に再び前記放送通知を受信しない場合、前記放送データを受信可能である旨の表示を取り消すことを特徴とする請求項１から請求項３のいずれかに記載の受信端末。
【請求項５】
送信サーバ及び複数の受信端末で構成される放送通信システムに使用される受信端末であって、
放送データが送信されることを示す放送通知情報を前記送信サーバから受信する送受信手段と、
前記放送通知情報を前記送信サーバから受信して、前記放送通知情報に含まれる受信指示情報を参照して、放送データを自動受信するか否かを判定する自動受信判定手段と、を備えることを特徴とする受信端末。
【請求項６】
前記自動受信判定手段で参照する情報が、前記送信サーバにより自動受信を指定する自動受信情報であり、前記自動受信情報の場合には、前記自動受信情報の指示に従うことを特徴とする請求項５に記載の受信端末。
【請求項７】
前記自動受信判定手段で参照する情報が、前記放送データがダウンロードデータ又はストリーミングデータを示す前記送信方法情報の場合、前記送信方法情報がダウンロードデータを示す場合には前記放送データを自動受信することを特徴とする請求項５又は請求項６に記載の受信端末。
【請求項８】
前記受信端末は、前記放送データ受信後、直ちに再生するか否かを示す実行指示情報に従って再生処理を行うことを特徴とする請求項５から請求項７のいずれかに記載の受信端末。
【請求項９】
請求項１から請求項８のいずれかに記載の受信端末に対して放送データを送信する送信サーバであって、
前記受信端末において前記放送データを受信及び再生するために参照される情報である放送番組情報の送信要求を前記受信端末から受信した場合に前記放送番組情報を返信する手段と、を備えることを特徴とする送信サーバ。
【請求項１０】
前記受信端末からの送信要求に含まれる前記放送番組情報の放送番組情報識別子及び／またはユーザ識別子から一意に特定される放送番組情報を前記受信端末に返送することを特徴とする請求項９に記載の送信サーバ。
【請求項１１】
前記受信端末からの送信要求に含まれるユーザ識別子から一意に特定されるユーザ情報を登録して記憶する手段と、前記ユーザ情報に応じて放送番組情報を編集して前記受信端末に返送する手段と、を備えることを特徴とする請求項９又は請求項１０に記載の送信サーバ。
【請求項１２】
受信端末からの送信要求で特定される受信端末の位置情報に応じて、内容を変更して前記受信端末に返送することを特徴とする請求項９から請求項１１のいずれかに記載の送信サーバ。
【請求項１３】
送信サーバ及び複数の受信端末で構成される放送通信システムの通信方法であって、
前記送信サーバから前記受信端末に、放送データが送信されることを示す放送通知情報を送信する工程と、
前記受信端末から送信サーバに、前記放送データを受信及び再生する為に参照する情報である前記放送番組情報の送信要求を送信する工程と、
前記送信サーバから前記受信端末に、前記放送番組情報を含む応答情報を送信する工程と、を備えることを特徴とする通信方法。
【請求項１４】
送信サーバ及び複数の受信端末で構成される放送通信システムの通信方法であって、
前記送信サーバから前記受信端末に、前記放送番組情報を一意に特定する放送番組情報識別子を含む前記放送通知情報を送信する工程と、
前記受信端末から前記送信サーバに、前記放送番組情報識別子を含む前記放送番組情報の送信要求を送信する工程と、
前記送信サーバから前記受信端末に、前記放送番組情報識別子に対応した前記放送番組情報を含む応答情報を送信する工程と、を備えることを特徴とする通信方法。
【請求項１５】
前記放送通知情報には前記受信端末で前記放送データを自動取得するか否かの判断の際に参照される情報である受信指示情報を含み、前記受信端末において前記受信指示情報を参照して放送データを自動受信するか否かを判定することを特徴とする請求項１３又は請求項１４に記載の通信方法。
【発明の詳細な説明】
【技術分野】
【０００１】
本発明は、マルチメディアデータの伝送に関し、特に放送型通信での受信端末、送信サーバ及び通信方法に関するものである。
【背景技術】
【０００２】
近年、大容量のデジタル衛星放送では専用チャンネルを使用して、映画、音楽、ニュース等の情報を配信するサービスが商用化されている。これらの専門チャンネルでは各々専門のサービス内容企画に適応した内容のプログラム・メニュで放送されている。
【０００３】
一方、携帯電話などの移動体通信網での放送型通信では、デジタル衛星放送と異なり、通信帯域幅が制限され、携帯電話などの消費電力に制約があることを考慮する必要があり、さらにセル間での移動の発生に伴うハンドオーバーを考慮する必要がある。
【０００４】
モバイル端末における同報データ（ブロードキャスト及びマルチキャストを含む）受信の方法としては報知チャネルでの放送情報通知を聞いた後に放送データを受信する方法がある（例えば、特許文献１参照）。
【特許文献１】特開２０００−１７５２６３号公報（第７項、第３図）
【発明の開示】
【発明が解決しようとする課題】
【０００５】
しかしながら、従来の技術においては携帯電話などの移動体通信網での放送型通信においては、携帯電話は常時携帯されており、電源も入っている状態である為にユーザが見ていなくても放送データを受信することになり、電力を無駄に消費することになるという課題がある。
【０００６】
本発明は、かかる点に鑑みてなされたものであり、携帯電話などの移動体通信網での放送型通信において、ユーザ主導でなくとも放送データを受信できるようにしつつ、無駄な電力消費を低減することができる受信端末、送信サーバ及び通信方法を提供することを目的とする。
【課題を解決するための手段】
【０００７】
かかる課題を解決するため、本発明の受信端末は、送信サーバ及び複数の受信端末で構成される放送通信システムに使用される受信端末であって、放送データが送信されることを示す放送通知情報を前記送信サーバから受信する送受信手段と、前記放送通知情報を受信して、前記放送データを受信するか否かをユーザに確認する為の表示を行う出力手段と、前記ユーザからの前記放送データの受信指示を受付ける入力手段と、予め放送番組情報を記憶する放送情報記憶手段と、前記放送通知情報に含まれる放送番組情報識別子で前記放送情報記憶手段を検索して前記放送番組情報が記憶されているか否かを判定する放送情報処理手段と、を備える構成を採る。
【発明の効果】
【０００８】
本発明によれば、放送データの受信に先立ち、放送データを受信するか否かの確認のための提示をユーザに行うことができるので、ユーザが視聴していないのに放送データを受信するなどの無駄な放送データを受信することが無くなり電力消費を低減することが可能となる。特に、低電力消費が求められるモバイル端末において顕著な効果がある。
【発明を実施するための最良の形態】
【０００９】
以下に、本発明の実施の形態について、図面を参照して詳細に説明する。
【００１０】
（実施の形態１）
本発明の実施の形態１について、図１から図４を参照して詳細に説明する。図１は本実施の形態に係る受信端末１００の構成を示すブロック図である。図１の受信端末１００は、送受信部１０１、放送情報処理部１０２、放送情報記憶部１０３、入出力処理部１０４、出力部１０５、入力部１０６とから主に構成される。
【００１１】
送受信部１０１は、通信に関する送受信処理を行う。放送情報処理部１０２は、送受信部１０１から入力した放送に関するデータを解析し、その解析結果に伴う実行指示を入出力処理部１０４に対して行う。また、放送情報処理部１０２は、放送データを受信する際に放送情報記憶部１０３に記憶された情報を参照する。放送情報記憶部１０３は、放送に関する情報を記憶する。入出力処理部１０４は、放送情報処理部１０２からの指示でメディアの再生などを出力部１０５に指示して、キー入力などの入力部１０６からの入力を必要に応じ放送情報処理部１０２に通知する。出力部１０５には、ディスプレイ、スピーカ、バイブレータ等により情報を出力する。入力部１０６は、入力キーを介してユーザからの指示を受け付ける。
【００１２】
次に、図１に示す受信端末の放送データ受信動作について、図２のシーケンスを用いて詳細に説明する。
【００１３】
なお、本実施の形態において、送信サーバとは、放送データを送信する放送データ送信サーバを含む移動体通信網での伝送設備である基地局等であり、受信端末以外の全ての送信側設備を総称するものを送信サーバと称する。
【００１４】
また、本実施の形態において、放送通知情報は、送信サーバから受信端末へ放送データが放送される事又は、放送されている事を示す情報として送信される通知情報である。放送通知情報には、放送番組情報（後述する）を一意に識別するための情報である放送番組情報識別子、放送データを受信するためのＩＰアドレスなどのパラメータを指定する情報である放送チャネル情報及び放送データが送信されている時間帯を示す情報である放送時間情報を含む。
【００１５】
図２において、受信端末１００では、送受信部１０１が任意のタイミングで放送通知情報を送信サーバから受信し（ステップＳ２００）、放送通知情報を受信した後に放送情報処理部１０２がユーザへ表示すべきであると判断した場合には、ユーザに放送データが受信可能である旨の表示を行うことを入出力処理部１０４に指示する（ステップＳ２０１）。
【００１６】
放送情報処理部１０２から指示を受けた入出力処理部１０４は出力部１０５にて放送データを受信可能である旨を表示する。なお、表示方法としては、ディスプレイからのアイコン表示が一般的であるが、スピーカからユーザが指定した音を鳴らせる等、予めユーザが指定した方法による通知を行っても良い。
【００１７】
ユーザに受信可能であることを通知した後、放送情報処理部１０２は、入力部１０６からユーザ操作（例えば、ボタン押下）による放送データの受信指示があった場合（ステップＳ２０２）、放送番組情報識別子で特定される放送番組情報が放送情報記憶部１０３に記憶されているか否かを判定する（ステップＳ２０３）。
【００１８】
放送番組情報を記憶していない場合（ステップＳ２０３：Ｎｏ）には、受信端末１００は、送信サーバに対して放送番組情報を要求する（ステップＳ２０４）。
【００１９】
送信サーバは、放送番組情報要求を受信すると、受信端末１００に対して放送番組情報を通知し（ステップＳ２０５）、放送データを送信する（ステップＳ２０６）。
【００２０】
なお、図２のシーケンス図では、ユーザによる放送データの受信指示後に放送情報を保持しているか否かの確認をしているが、確認後に放送データ受信可能表示を行うようにしても良い。
【００２１】
次に、図２の受信端末の動作説明に不可欠な各種の放送番組情報の記述例について図３を用いて説明する。
【００２２】
図３に示す放送番組情報３００は、放送情報記憶部１０３にて予め記憶しているものであり、放送チャネル情報３０１、放送時間情報３０２、放送番組識別子３０３、放送番組内容情報３０４、放送番組再生情報（メディア再生情報）３０５を含んでいる。
【００２３】
放送チャネル情報３０１は、放送データを受信するための必要なパラメータを特定するための情報であり、本実施の形態では、ＩＰアドレスが指定されている。また、指定されたＩＰアドレスに対応する拡散符号などの電波受信の為のパラメータは特定されているものとする。更に、ＩＰアドレスと電波受信のためのパラメータとの対応は別途取得した対応表を用いるか又は、着信通知情報内に提示される。
【００２４】
放送時間情報３０２は放送が行われる期間を示す情報である。放送番組識別子３０３は、放送番組情報を一意に識別する情報である。
【００２５】
放送番組内容情報３０４は、放送の内容に関する情報であり、番組名「ｓ＝ＸＸ・・Ｘ」と番組情報「ｉ＝ＹＹ・・Ｙ」とからなる。
【００２６】
放送番組再生情報３０５は、放送データがどのようなメディア情報で構成されており、どのように再生すれば良いかを表示する情報である。本実施の形態では、放送番組再生情報３０５は、オーディオデータ及びビデオデータがＲＴＰストリーミングとして放送される事を表示している。また、放送番組再生情報３０５は、放送通知情報に放送チャネル情報３０１及び放送時間情報３０２が含まれる場合には、放送番組情報３００の放送チャネル情報３０１、放送時間情報３０２より優先される。
【００２７】
なお、放送通知情報には、放送チャネル情報と放送時間情報が無くとも良い。また、本実施の形態では放送通知情報において、放送番組情報識別子と放送チャネル情報と放送時間情報とを含む例を示したがそれらを含んだ放送番組情報を含んだ放送通知情報にしても良い。
【００２８】
図４は、本実施の形態に係る受信端末の放送データ受信可能表示例を示す図である。
【００２９】
図４の受信端末１００には、放送データを受信できることを示すアイコン及び放送番組内容情報３０４の番組名「新着情報」と番組内容「デパ地下が新装開店」とがディスプレイ４０１に表示されている。
【００３０】
また、放送データを受信するには２つ折の携帯電話では、開いた時にユーザからの放送データ受信指示が行われたと判断して放送データを受信しても良い。
【００３１】
更に、開いた後にユーザからの指定されたボタン操作により放送データ受信指示が行われたと判断し放送データを受信しても良い。
【００３２】
受信端末が放送データの受信待ち状態ではなく、ユーザが他のアプリケーションを起動している場合においては、アイコンの表示にて放送データ受信が可能であることを提示すると伴にポップアップ画面をユーザに提示して、放送データを受信するか否かの選択を可能とするボタンを提示するようにしても良い。
【００３３】
また、ユーザが放送データを受信しない旨の選択を行うとポップアップ画面を消して、元のアプリケーションの表示状態とすると伴に放送データを受信可能であることを示すアイコンはアプリケーションの邪魔にならないように表示しつづけても良い。
【００３４】
更に、受信端末は、放送データを受信可能であることを提示している状態であって、任意の一定時間に放送通知情報が受信されない場合には、放送データが受信可能であることの提示を取りやめる。
【００３５】
更に、提示を取りやめる任意の一定時間は放送通知情報で通知されても良いし、予め取り決められた時間でも良い。
【００３６】
このように、本実施の形態によれば、放送データに受信に先立ち、放送データを受信するか否かの確認のための提示をユーザに行うことができるので、ユーザが視聴していないのに放送データを受信するなどの無駄な放送データを受信することが無くなり電力消費を低減することが可能となる。特に、低電力消費が求められるモバイル端末において顕著な効果がある。
【００３７】
（実施の形態２）
次に本発明の実施の形態２について、図面を参照して詳細に説明する。
【００３８】
以下に本実施の形態について、図５、図６及び図７を参照しながら詳細に説明する。
【００３９】
図５は、本実施の形態に係る受信端末５００の構成を示したブロック図である。なお、図５に示す受信端末５００において、図１に示した受信端末１００と共通する構成部分には図１と同一符号を付し、説明を省略する。
【００４０】
図５に示す受信端末５００において、図１に示した受信端末１００に対して、放送情報記憶部１０３を削除し、放送情報処理部１０２の中に自動受信判定部５０１を備えた構成を採る。自動受信判定部５０１は、放送に関する情報を自動受信するか否かを受信指示情報から判定する。
【００４１】
次に、図５に示す受信端末の放送データ受信動作について、図６のシーケンス図を用いて詳細に説明する。
【００４２】
図６において、受信端末５００では、送受信部１０１が放送通知情報を受信し（ステップＳ６０１）、放送通知情報を受信した後に放送情報処理部１０２が解析を行う。具体的には、自動受信判定部５０１が、送受信部１０１にて受信した放送通知情報に含まれる受信指示情報を参照し、放送データを自動受信するのか、ユーザからの受信指示があったときにはじめて放送データを受信するのかを判定する（ステップＳ６０２）。
【００４３】
自動受信判定部５０１は、放送データを自動受信すると判断した場合には（ステップＳ６０２：Ｙｅｓ）、放送データ受信のための処理を継続実行する。一方、自動受信判定部５０１は、放送データを自動では受信しないと判断した場合には（ステップＳ６０２：Ｎｏ）、ユーザに放送データが受信可能である旨の表示を行うことを入出力処理部１０４に指示する（ステップＳ６０３）。放送情報処理部１０２から指示を受けた入出力処理部１０４は出力部１０５にて放送データを受信可能である旨を表示する。
【００４４】
ユーザに受信可能であることを通知した後、放送情報処理部１０２は、入力部１０６からユーザ操作（例えば、ボタン押下）による放送データの受信指示があった場合（ステップＳ６０４：Ｙｅｓ）、放送データ受信のための処理を継続実行する。
【００４５】
そして、受信端末５００は、送信サーバに対して放送番組情報要求を行う（ステップＳ６０５）。放送番組情報要求は、放送通知情報に含まれる放送番組識別子を含んでいる。
【００４６】
送信サーバは、放送番組情報要求を受け取ると、受信端末の登録を行い（ステップＳ６０６）、放送番組情報通知を受信端末に返信（ステップＳ６０７）後に放送データを送信する（ステップＳ６０８）。
【００４７】
又、放送通知情報に送信サーバを指定するＵＲＬ（Ｕｎｉｆｏｒｍ  Ｒｅｓｏｕｒｃｅ  Ｌｏｃａｔｏｒ）などの識別子を含み、放送番組情報要求の場合にサーバ指定に用いるとしても良い。
【００４８】
次に、本実施の形態における受信端末５００が受け取る放送番組情報の例について図７を用いて説明する。なお、図７の放送番組情報７００は、図３の放送番組情報３００と比較して放送番組再生情報７０１のみが放送番組再生情報３０５と異なる。
【００４９】
放送番組再生情報７０１には、１つのメディア情報がｒｍｔ(Ｒｅｌｉａｂｌｅ  Ｍｕｌｔｉｃａｓｔ  Ｔｒａｎｓｐｏｒｔ)プロトコルを使用して伝送されることが示されている。
【００５０】
又、ｒｍｔとはＵＤＰ（Ｕｓｅｒ  Ｄａｔａｇｒａｍ  Ｐｒｏｔｏｃｏｌ）上のプロトコルであり、エラー耐性を向上させた信頼できるプロトコルである。
【００５１】
更に、メディア情報はダウンロードされるものとする。
【００５２】
放送情報処理部１０２による放送番組情報７００に対する解析結果から送受信部１０１が放送データの受信に必要な放送チャネル情報と放送番組再生情報を取得して、放送データの受信処理を行う。
【００５３】
入出力処理部１０４は、放送データが全てダウンロードされたならば、その旨を出力部１０５によりユーザへ表示する。
【００５４】
これらの表示においては、放送データ受信中は受信していることが分かるようにアイコン表示を行うなどすることが好ましい。
【００５５】
又、受信端末の設定で放送データをダウンロード後直ちに実行再生するようにしても良い。
【００５６】
次に、本実施の形態の受信指示情報について説明する。受信指示情報には、自動受信情報、伝送方法情報及び実行指示情報がある。
【００５７】
以下、順に説明する。自動受信情報は、受信端末が放送情報を自動受信すべきか否かを、送信サーバで指定する情報である。
【００５８】
又、本実施の形態での送信サーバによる自動受信情報の設定方法としては、予め受信端末のユーザにより登録されていた情報に基づいて、ユーザが希望する放送データを自動受信するように設定し、ユーザが要望した放送データは確認の操作をせずに自動受信することとなる。
【００５９】
更に、ユーザは自動受信を行いたくない場合には、自動受信しないように受信端末で設定して、自動受信情報に優先する方法でも良い。
【００６０】
伝送方法情報は、放送データの通信方法に関する情報であると伴に放送データがダウンロードデータであるか又はストリーミングデータであるのかを示す情報でもある。
【００６１】
この情報を付加する事で、受信端末では放送データがダウンロードデータであれば放送データを自動受信し、ストリーミングデータであればユーザからの自動受信の確認を得るといった設定を行うことが可能となる。
【００６２】
実行指示情報は、受信した放送データを実行するか否かを示す情報である。例えば、受信したアニメーションデータを再生したり、Ｊａｖａ（登録商標）プログラムを実行したりする事ができる。
【００６３】
これにより、単に放送データをダウンロードするのみでなく再生までを行うか否かを指定することが可能となる。
【００６４】
又、受信端末にて設定する番組名やキーワードに一致する放送データの場合には自動受信を行う。更に、再生を行っても良い。
【００６５】
例えば、番組名は放送番組情報に含まれている番組名「ｓ＝ＸＸ・・・ＸＸ」に対応し、キーワードは番組名「ｓ＝ＸＸ・・・ＸＸ」と番組情報「ｉ＝ＹＹ・・・ＹＹ」内の検索に用いられる。
【００６６】
又、サービスカテゴリを設けて、要望するサービスカテゴリに一致する時は、自動受信及び再生を行うようにしても良い。
【００６７】
更に、自動受信までは行わずとも、ユーザの指定する放送データであった場合には、その旨が分かるようにユーザに通知するようにしても良い。例えば、通常とは違う色での表示を行ったり、通知音を変えたりしても良い。
【００６８】
次に、本実施の形態における放送番組情報要求とユーザ登録の例について詳細に説明する。
【００６９】
放送番組情報要求には、放送通知情報から入手される放送番組情報識別子と送信サーバ識別子が含まれる。
【００７０】
又、送信サーバ識別子は、放送通知情報に含まれずにあらかじめ受信端末にて有している場合もあり得る。
【００７１】
放送番組情報要求は、送信サーバ識別子で示されるＵＲＬにＨＴＴＰにて送信され、リクエストされる。この時に受信端末は放送番組識別子と伴に端末識別子を付加情報として送信サーバへ送信する。
【００７２】
そして、放送番組情報要求を受信した送信サーバは、リクエストに含まれる放送番組識別子から、要求される放送番組を特定する。そして、送信サーバは、端末識別子と一緒に放送番組識別子情報をデータベースへ登録すると伴に別途入手する受信端末が存在するエリア情報を一緒に登録しておく。
【００７３】
又、放送番組情報要求の付随情報としてユーザ情報又はユーザ情報識別子を付加しても良い。
【００７４】
ユーザ情報は受信端末の使用者のステータスや嗜好情報から成る情報であり、送信サーバはユーザ情報から提供する放送番組情報を変更する事も可能である。
【００７５】
例えば、特定のメンバーには高品質のメディア情報を提供するなど、ユーザにより異なったサービスを提供することが可能となる。
【００７６】
更に、放送データの一部のメディア情報をユーザの嗜好に合わせて提供するということも可能となる。
【００７７】
本実施の形態では、放送通知情報を受信した後に放送番組情報要求を行っているが、放送番組情報要求を行わなくても放送データを受信する為に必要十分な情報が得られている為にユーザ登録をしなくても放送データを受信できる場合には、放送番組情報要求を行わずに放送データを受信するようにしても良い。
【００７８】
又、放送通知情報は放送が行われる事若しくは放送が行われていることのみ通知する事として、その他の放送データ受信に必要な情報は予め受信端末で入手済みであるか、若しくは放送番組情報要求から入手するようにしても良い。
【００７９】
この方法により、放送通知情報のデータサイズを更に小さくする事ができ、繰り返し放送通知を行う場合には、通信データ量の大幅な削減が可能となる。
【００８０】
このように、本実施の形態によれば、放送通知情報に、受信端末にて放送データを自動取得するか否かの判断の際に参照される情報である受信指示情報を含むことにより、送信データを受信するか否かを選択することができるので、ユーザが視聴していないのに放送データを受信するなどの無駄な放送データを受信することが無くなり電力消費を低減することが可能となる。特に、低電力消費が求められるモバイル端末において顕著な効果がある。
【産業上の利用可能性】
【００８１】
本発明は、マルチメディアデータの伝送を行う放送型通信システムの受信端末及び送信サーバに用いるに好適である。
【図面の簡単な説明】
【００８２】
【図１】本発明の実施の形態１に係る受信端末の構成を示すブロック図
【図２】上記実施の形態に係る放送データ受信のシーケンス図
【図３】上記実施の形態に係る放送番組情報の記述例を示す図
【図４】上記実施の形態に係る受信端末の放送データ受信可能表示例を示す図
【図５】本発明の実施の形態２に係る受信端末のブロック図
【図６】上記実施の形態に係る放送データ受信のシーケンス図
【図７】上記実施の形態に係る放送番組情報の記述例を示す図
【符号の説明】
【００８３】
１００、５００  受信端末
１０１  送受信部
１０２  放送情報処理部
１０３  放送情報記憶部
１０４  入出力処理部
１０５  出力部
１０６  入力部
５０１  自動受信判定部
【図１】
2006094324.tif 000003
【図２】
2006094324.tif 000004
【図３】
2006094324.tif 000005
【図４】
2006094324.tif 000006
【図５】
2006094324.tif 000007
【図６】
2006094324.tif 000008
【図７】
2006094324.tif 000009